(57)【特許請求の範囲】
【請求項１】
光ディスク上のスパイラル状のトラックを複数のゾーンに分け、各ゾーンに対して異なるＣＬＶ速度で記録を行うＺＣＬＶ方式の情報処理方法において、
複数の記録モードを設け、各記録モード毎に、ゾーンを分割する分割時間と、各ゾーン毎のＣＬＶ速度をゾーンパラメータとして記憶手段に格納しておき、１つのゾーンパラメータを前記記憶手段内の複数のゾーンパラメータの中から選び、この選んだゾーンパラメータに対応する記録モードでＺＣＬＶ記録を行い、記録速度の最適化を行い、
前記最適化した記録速度をホストあるいはライターソフトに通知し、ホストあるいはライターソフト側はその通知された最適化記録速度を利用して記録時の記録速度設定で、前記通知された最適化記録速度より速い記録速度が設定不可能になるようにし、あるいは、前記通知された最適化記録速度より速い記録速度が選択された場合に記録速度を前記通知された最適化記録速度に変更して最適化記録速度リミットが働いたことを表示することを特徴とする情報処理方法。
【請求項２】
請求項１に記載の情報処理方法において、
記録前に前記光ディスクの種別を光ディスク種別判断手段で判断し、その判断結果により前記光ディスクの種別に適したゾーンパラメータを前記１つのゾーンパラメータとして前記記憶手段内の複数のゾーンパラメータの中から選択することを特徴とする情報処理方法。
【請求項３】
請求項１に記載の情報処理方法において、
記録時の初期に光ディスクに試し書きによるＯＰＣを行い、その結果を用いて前記１つのゾーンパラメータを前記記憶手段内の複数のゾーンパラメータの中から選択することを特徴とする情報処理方法。
【請求項４】
請求項１に記載の情報処理方法において、
記録を行う前に前記光ディスク面内をアクセスし、そのアクセスエラーの結果によって前記１つのゾーンパラメータを前記記憶手段内の複数のゾーンパラメータの中から選択することを特徴とする情報処理方法。
【請求項５】
請求項１に記載の情報処理方法において、
記録を行う前に前記光ディスク面内をアクセスし、そのサーボ信号乱れ検知の結果によって前記１つのゾーンパラメータを前記記憶手段内の複数のゾーンパラメータの中から選択することを特徴とする情報処理方法。
【請求項６】
請求項１から５のいずれか１つに記載の情報処理方法において、記録速度最適化の有効・無効化を選択可能とし、ホストあるいはライターソフト側で記録速度最適化の有効・無効化を選択可能としたことを特徴とする情報処理方法。
【請求項７】
光ディスク上のスパイラル状のトラックを複数のゾーンに分け、各ゾーンに対して異なるＣＬＶ速度で記録を行うＺＣＬＶ方式の情報処理装置において、
複数の記録モードを持ち、各記録モード毎に、ゾーンを分割する分割時間と、各ゾーン毎のＣＬＶ速度をゾーンパラメータとして格納しておくゾーンパラメータ記憶手段を有し、
１つのゾーンパラメータを前記記憶手段内の複数のゾーンパラメータの中から選び、この選んだゾーンパラメータに対応する記録モードでＺＣＬＶ記録を行い、記録速度の最適化を行い、
前記光ディスク装置は最適化した記録速度をホストあるいはライターソフトに通知する機能を有し、ホストあるいはライターソフト側は、その通知された最適化記録速度を利用して記録時の記録速度設定で、前記通知された最適化記録速度より速い記録速度が設定不可能になるようにし、あるいは、前記通知された最適化記録速度より速い記録速度が選択された場合に記録速度を前記通知された最適化記録速度に変更して最適化記録速度リミットが働いたことを表示することを特徴とする情報処理装置。
【請求項８】
記録前に前記光ディスクの種別を判断する光ディスク種別判断手段とを有し、この光ディスク種別判断手段の判断結果により前記光ディスクの種別に適したゾーンパラメータを前記１つのゾーンパラメータとして選択することを特徴とする請求項７に記載の情報処理装置。
【請求項９】
記録時の初期に光ディスクに試し書きによるＯＰＣを行い、その結果を用いて前記１つのゾーンパラメータを選択することを特徴とする請求項７に記載の情報処理装置。
【請求項１０】
記録を行う前に前記光ディスク面内をアクセスし、そのアクセスエラーの結果によって前記１つのゾーンパラメータを選択することを特徴とする請求項７に記載の情報処理装置。
【請求項１１】
サーボ信号乱れを検知するサーボ信号乱れ検知手段を有し、記録を行う前に前記光ディスク面内をアクセスし、前記サーボ信号乱れ検知手段の検知結果によって前記１つのゾーンパラメータを選択することを特徴とする請求項７に記載の情報処理装置。
【請求項１２】
ホストあるいはライターソフト側で記録中のデータ転送レートを測定する機能を有し、記録中の書き込み速度あるいは平均書き込み速度をレポートし、あるいは、記録終了後に平均書き込み速度、最低書き込み速度、最高書き込み速度をレポートする機能を有することを特徴とする請求項７から１１のいずれか１つに記載の情報処理装置。
【請求項１３】
記録速度最適化の有効・無効化を選択可能とする機能を有し、ホストあるいはライターソフト側で記録速度最適化の有効・無効化を選択可能としたことを特徴とする請求項７から１２のいずれか１つに記載の情報処理装置。
【発明の詳細な説明】
【０００１】
【発明の属する技術分野】
本発明は情報処理方法および情報処理装置に関する。
【０００２】
【従来の技術】
近年、ＣＤ−Ｒなどの光ディスクに情報を記録する光ディスク装置がパーソナルコンピュータの外部記録装置として普及していくのに伴い、高速記録への要望が非常に大きくなってきている。
光ディスクに高速記録を行おうとした場合、光ディスクの回転速度が大きくなる。光ディスクの機械的精度が悪いと、光ディスクの面ぶれ、偏芯などの影響によって、光ディスク上の記録を行う光スポットがトラックから外れるというトラック外れを起こしやすくなる。記録途中でトラック外れが起きた場合、その光ディスクは使用できなくなってしまい、非常に問題である。
【０００３】
ＣＤ−Ｒを代表するＣＤ系の光ディスクの場合、光ディスク面内の全ての場所での記録データ密度は同じである。光ディスク上でデータの記録再生を行う光スポットの線速度（光ディスク上の光スポット位置における接線方向の相対速度）が１．２〜１．４ｍ／ｓで一定である場合、データのチャンネルビットレートは４．３２１８Ｍｂｉｔ／ｓｅｃとなる。この場合の記録速度が等倍速あるいは１倍速といわれている。光ディスクを線速度一定で回転制御する方式をＣＬＶ（Ｃonstant  Ｌinear  Ｖelocity：線速度一定）方式という。ＣＤ系の光ディスクは上記のようにデータの線速度が一定になるフォーマット形式を採用しているので、記録はＣＬＶ方式で行う。１倍速を基準として、その整数倍（１ｘ、２ｘ、４ｘ、８ｘ、１２ｘ、１６ｘ、２０ｘなどの倍率：ｘは倍率）の速度でＣＬＶ記録（ＣＬＶ方式での記録）を行う。
【０００４】
ＣＬＶ方式で記録を行うと、光ディスクにおける内周部での光ディスク回転数と外周部での光ディスク回転数が大きく異なる。もちろん、内周部での光ディスク回転数の方が外周部での光ディスク回転数より大きくなってしまう。記録中にトラック外れを起こさないようにするためには、光ディスクにおいて一番高速に回転する最内周部でトラック外れが起きないＣＬＶ速度（ＣＬＶ方式の線速度）に設定して光ディスク全面に記録を行わなければならない。この場合、光ディスク外周部の回転数は、トラック外れに対してマージンのある光ディスク回転数となっている。
【０００５】
そこで、光ディスクの領域を内周、中周、外周などのゾーンに分割し、各ゾーンのＣＬＶ速度を連続書きが可能である速度とする方式、所謂ＺＣＬＶ（ＺoneＣＬＶ）方式が提案され、高速記録を実現できる仕組みが明らかにされている。この技術を利用することにより、ＺＣＬＶ記録（ＺＣＬＶ方式での記録）を実現する例を図２に示す。図２において、横軸は光ディスク位置（時間）であり、縦軸は記録先速度である。この例では、光ディスクを３つのゾーン（Ｌead−Ｉn〜ｔ1、ｔ1〜ｔ2、ｔ2〜Ｌead−Ｏut）に分割し、各ゾーンのＣＬＶ速度をそれぞれｓ1、ｓ2、ｓ3に設定して記録を行う。ゾーンのつなぎ目（ｔ1、ｔ2）では特開平１０−４９９９０号公報記載の技術を使用してデータの連続性を保持させる。
【０００６】
特開平７−９３８７３号公報や特開平１１−６６７２６号公報には、既にゾーン領域が存在する光ディスクに対して、ＺＣＬＶ方式で記録する方法が記載されている。この方法では、ＣＤ−Ｒディスクのように１つのスパイラル状のトラックのみからなる光ディスクに対しては、あらかじめゾーン領域で分割されているわけではないので、ＺＣＬＶ方式での記録はできない。
【０００７】
【発明が解決しようとする課題】
光ディスク装置においては、記録パワーは光ディスクの種類によって大きく異なる。これは、光ディスクに使用している記録膜材料の違い、その膜圧、トラックの幅・深さ、などの物理的な形状によって記録特性が大きく異なるからであり、また、光ディスクの記録特性に合わせるために、記録パルス幅を光ディスクの種類毎に加減しているためである。
【０００８】
また、記録パワーは記録時のＣＬＶ速度によって大きく異なる。一般的には記録パワーはＣＬＶ速度の平方根に比例すると考えられが、光ディスクの種類によって記録パルス幅を加減しており、記録パワーは光ディスクの種類やＣＬＶ速度に大きく依存して変動する。
【０００９】
また、光ディスクの機械特性は、光ディスクの種類によって大きく異なり、光ディスクの製造メーカが使用しているスタンパーの精度、打ち抜き精度、工程管理目標値などによって大きく異なる。光ディスクの機械特性が悪いと、光ディスクを高速回転させたときにトラック外れが起きる危険がある。ＺＣＬＶ方式で高速記録を行う場合、トラック外れによる記録中断を避けなければならない。従って、記録速度は光ディスクの機械特性とのトレードオフにより決定してやる必要がある。
【００１０】
光ディスクの種類によって光ディスクの機械特性が異なることを考慮して、その光ディスクに対して、最も高速に記録を行うことができ、かつ、トラック外れが起きない信頼性の高い記録ができるように、図２に示すようなゾーン領域ｔ1、ｔ2、及び、そのＣＬＶ速度（ｓ1、ｓ2、ｓ3）を決定する方法が問題となる。
【００１１】
光ディスクは、種類が同一であっても、その製造ばらつきによって、記録感度や機械特性がばらつく。また、光ディスク装置は、組み付け精度がばらついており、光ディスクをローディングした時のチャッキング精度（光ディスクの中心とその駆動モータの回転中心とのずれ量）などもばらつき、相対的な光ディスクの機械精度がばらついてしまう。また、光ディスク装置で使用している半導体レーザの波長のばらつきにより、記録感度特性もばらつく。これらの製造ばらつき要因によって、最大書き込み可能速度（最大起き込み速度）もばらついてしまう。最大書き込み速度の製造ばらつきによる変動を正しく検知して最大書き込み速度を設定することが必要である。
【００１２】
また、最適記録速度を光ディスク装置自身が判断して設定した場合、ライターソフトでユーザが設定した速度と異なる速度で光ディスクに記録を行うことになる。その際に、記録速度がユーザの設定した記録速度より低い場合には記録予定終了時間が過ぎても記録動作が終らないため、光ディスク装置の不具合が発生し、又は光ディスク装置にライターソフトで記録を行わせるパーソナルコンピュータがハングアップした等の勘違いが起きる可能性がある。
【００１３】
また、最適記録速度を光ディスク装置自身が判断して設定した場合、ライターソフトでユーザが設定した速度と異なる速度で記録を行うことになるが、その際に、記録予定終了時間が不明となってしまう。
また、光ディスク装置は、ユーザが記録速度を自分で設定して、試しながら使用することができない。例えば、ユーザが同一の光ディスクを沢山所有している場合などは、限界の記録速度を自分で実験しながら求めることができない。
【００１４】
本発明は、光ディスクの種類毎の機械特性と記録パワー特性に合わせてＺＣＬＶのゾーン領域を設定することができ、トラック外れを起こすことなく高速記録を行うことができる情報処理方法および情報処理装置を提供することを目的とする。
【００１５】
また、本発明は、ユーザが設定した記録速度と実際の記録速度が異なることを認知でき、ユーザが記録予定終了時間を予想することができ、ユーザが実験的な記録テストを行うことができる情報処理方法及び情報処理装置を提供することを目的とする。
【００１６】
【課題を解決するための手段】
上記目的を達成するため、請求項１に係る発明は、光ディスク上のスパイラル状のトラックを複数のゾーンに分け、各ゾーンに対して異なるＣＬＶ速度で記録を行うＺＣＬＶ方式の情報処理方法において、複数の記録モードを設け、各記録モード毎に、ゾーンを分割する分割時間と、各ゾーン毎のＣＬＶ速度をゾーンパラメータとして記憶手段に格納しておき、１つのゾーンパラメータを前記記憶手段内の複数のゾーンパラメータの中から選び、この選んだゾーンパラメータに対応する記録モードでＺＣＬＶ記録を行い、記録速度の最適化を行い、前記最適化した記録速度をホストあるいはライターソフトに通知し、ホストあるいはライターソフト側はその通知された最適化記録速度を利用して記録時の記録速度設定で、前記通知された最適化記録速度より速い記録速度が設定不可能になるようにし、あるいは、前記通知された最適化記録速度より速い記録速度が選択された場合に記録速度を前記通知された最適化記録速度に変更して最適化記録速度リミットが働いたことを表示することを特徴とする。
【００１７】
請求項２に係る発明は、請求項１に記載の情報処理方法において、記録前に前記光ディスクの種別を光ディスク種別判断手段で判断し、その判断結果により前記光ディスクの種別に適したゾーンパラメータを前記１つのゾーンパラメータとして前記記憶手段内の複数のゾーンパラメータの中から選択することを特徴とする。
【００１８】
請求項３に係る発明は、請求項１に記載の情報処理方法において、記録時の初期に光ディスクに試し書きによるＯＰＣを行い、その結果を用いて前記１つのゾーンパラメータを前記記憶手段内の複数のゾーンパラメータの中から選択することを特徴とする。
【００１９】
請求項４に係る発明は、請求項１に記載の情報処理方法において、記録を行う前に前記光ディスク面内をアクセスし、そのアクセスエラーの結果によって前記１つのゾーンパラメータを前記記憶手段内の複数のゾーンパラメータの中から選択することを特徴とする。
【００２０】
請求項５に係る発明は、請求項１に記載の情報処理方法において、記録を行う前に前記光ディスク面内をアクセスし、そのサーボ信号乱れ検知の結果によって前記１つのゾーンパラメータを前記記憶手段内の複数のゾーンパラメータの中から選択することを特徴とする。
【００２１】
請求項６に係る発明は、請求項１から５のいずれか１つに記載の情報処理方法において、記録速度最適化の有効・無効化を選択可能とし、ホストあるいはライターソフト側で記録速度最適化の有効・無効化を選択可能としたことを特徴とする。
【００２２】
請求項７に係る発明は、光ディスク上のスパイラル状のトラックを複数のゾーンに分け、各ゾーンに対して異なるＣＬＶ速度で記録を行うＺＣＬＶ方式の情報処理装置において、複数の記録モードを持ち、各記録モード毎に、ゾーンを分割する分割時間と、各ゾーン毎のＣＬＶ速度をゾーンパラメータとして格納しておくゾーンパラメータ記憶手段を有し、１つのゾーンパラメータを前記記憶手段内の複数のゾーンパラメータの中から選び、この選んだゾーンパラメータに対応する記録モードでＺＣＬＶ記録を行い、記録速度の最適化を行い、前記光ディスク装置は最適化した記録速度をホストあるいはライターソフトに通知する機能を有し、ホストあるいはライターソフト側は、その通知された最適化記録速度を利用して記録時の記録速度設定で、前記通知された最適化記録速度より速い記録速度が設定不可能になるようにし、あるいは、前記通知された最適化記録速度より速い記録速度が選択された場合に記録速度を前記通知された最適化記録速度に変更して最適化記録速度リミットが働いたことを表示するものである。
【００２３】
請求項８に係る発明は、記録前に前記光ディスクの種別を判断する光ディスク種別判断手段とを有し、この光ディスク種別判断手段の判断結果により前記光ディスクの種別に適したゾーンパラメータを前記１つのゾーンパラメータとして選択することを特徴とする請求項７に記載の情報処理装置である。
【００２４】
請求項９に係る発明は、記録時の初期に光ディスクに試し書きによるＯＰＣを行い、その結果を用いて前記１つのゾーンパラメータを選択することを特徴とする請求項７に記載の情報処理装置である。
【００２５】
請求項１０に係る発明は、記録を行う前に前記光ディスク面内をアクセスし、そのアクセスエラーの結果によって前記１つのゾーンパラメータを選択することを特徴とする請求項７に記載の情報処理装置である。
【００２６】
請求項１１に係る発明は、サーボ信号乱れを検知するサーボ信号乱れ検知手段を有し、記録を行う前に前記光ディスク面内をアクセスし、前記サーボ信号乱れ検知手段の検知結果によって前記１つのゾーンパラメータを選択することを特徴とする請求項７に記載の情報処理装置である。
【００２７】
請求項１２に係る発明は、ホストあるいはライターソフト側で記録中のデータ転送レートを測定する機能を有し、記録中の書き込み速度あるいは平均書き込み速度をレポートし、あるいは、記録終了後に平均書き込み速度、最低書き込み速度、最高書き込み速度をレポートする機能を有することを特徴とする請求項７から１１のいずれか１つに記載の情報処理装置である。
【００２８】
請求項１３に係る発明は、記録速度最適化の有効・無効化を選択可能とする機能を有し、ホストあるいはライターソフト側で記録速度最適化の有効・無効化を選択可能としたことを特徴とする請求項７から１２のいずれか１つに記載の情報処理装置である。
【００２９】
【発明の実施の形態】
図１は本発明の第１参考形態を示す。この第１参考形態の光ディスク装置は、光ディスクとしてのＣＤ−Ｒ／ＲＷ（ＣＤ−Ｒecordable／Ｒewritable）に情報の記録再生を行うものである。光ディスク１はスピンドルモータ２により回転駆動され、スピンドルモータ２はモータドライバ３とサーボ手段４により光ディスク１がＺＣＬＶ方式やＣＬＶ方式で回転するように制御される。
【００３０】
光ピックアップ５はレーザダイオードなどのレーザ光源からレーザビームを出射し、このレーザビームを対物レンズにより光ディスク1の記録面に集光させ、フォーカスサーボ、トラックサーボの各サーボ手段によりアクチュエータの制御を行うことでフォーカスサーボ、トラックサーボを行い、光ディスク１上に記録されているデータを再生して再生信号を得、かつ、光ディスク１上にデータを記録する。
【００３１】
データ再生時には、光ピックアップ５で得られた再生信号は、リードアンプ６で増幅されて２値化された後、ＣＤデコーダ７でデインターリーブとエラー訂正の処理が行われる。ＣＤデコーダ７からのデータはＣＤ−ＲＯＭデコーダ８によりデータの信頼性を高めるためのエラー訂正処理が行われる。
【００３２】
ＣＤ−ＲＯＭデコーダ８からのデータは、バッファマネージャ９によって、一旦バッファＲＡＭ１０に蓄積され、セクタデータとして揃ったときにホストインターフェース（ホストＩ／Ｆ）１１を介してホスト（ホストコンピュータ：パーソナルコンピュータ）へ一気に転送される。また、データが音楽データである場合には、ＣＤデコーダ７からのデータは図示しないＤ／Ａコンバータによりアナログのオーディオ信号に変換されて取り出される。
【００３３】
一方、データ記録時には、ホストからホストＩ／Ｆ１１を介して送られてきたデータがバッファマネージャ９によって一旦バッファＲＡＭ１０に蓄積されてからデータ記録が開始される。データ記録を開始する前に、光ディスク１のＰＣＡ（Ｐower  Ｃalibration  Ａrea）と呼ばれる試し書き領域で、ＯＰＣ（Ｏptimum  Ｐower  Ｃalibration）が行われて最適な記録パワーが求められる。
【００３４】
データ記録の開始前には光ディスク１上のレーザ光スポットが書き込み開始地点に位置させられる。その書き込み開始位置は光ディスク１上のトラック（プリグルーブ）の蛇行によって予め光ディスク１に刻まれているウォブル信号であるＡＴＩＰ（Ａbsolute  Ｔime  Ｉn  Ｐre−groove）信号によって求められる。ＡＴＩＰ信号は、光ディスク１上の絶対番地を示す時間情報であり、ＡＴＩＰデコーダ１２によってリードアンプ６からのデータより取り出されるとともに、ＡＴＩＰ信号エラーが検出されてＡＴＩＰ信号の検出エラー率が計測される。
【００３５】
また、ＡＴＩＰデコーダ１２が生成する同期信号はＣＤエンコーダ１３に入力されて正確な位置でのデータの書き出しが可能となる。データ記録を行うときにはバッファＲＡＭ１０からデータが読み出され、このデータはＣＤ−ＲＯＭエンコーダ１４及びＣＤエンコーダ１３でエラー訂正コードの付加やインターリーブが行われてレーザコントロール回路１５、光ピックアップ５を介して光ディスク１に記録される。制御手段としてのＣＰＵ１６は、光ディスク装置の各部を集中的に制御し、メモリ１７にデータの読み書きを行う。
【００３６】
この第１参考形態では、光ディスク１上のスパイラル状のトラックは、最大３つのゾーンに分割され、ＺＣＬＶ記録やＣＬＶ記録が行われる。
図３は５つの記録モードを持つゾーン分割例のゾーン分割テーブルを示す。記録モード１は、光ディスク１上のトラックのゾーン分割がなく、ＣＰＵ１６が本参考形態の各部を光ディスク１の全面に８倍速でＣＬＶ記録が行われるように制御する。
【００３７】
記録モード２は、光ディスク１上のトラックを、最内周から５分位置ｔ1までをゾーン１、それ以降の５分位置ｔ1から最外周までをゾーン２に分割し、ＣＰＵ１６が本参考形態の各部を、ゾーン１では８倍速でＣＬＶ記録が行われてゾーン２では１２倍速でＺＣＬＶ記録が行われるように制御する。
記録モード３は、光ディスク１上のトラックを、最内周から５分位置ｔ1までをゾーン１、５分位置ｔ1から３０分位置ｔ2までをゾーン２、３０分位置ｔ2から最外周までをゾーン３に分割し、ＣＰＵ１６が本参考形態の各部を、ゾーン１では８倍速でＣＬＶ記録が行われてゾーン２では２０倍速でＣＬＶ記録が行われるとともにゾーン３では２４倍速でＺＣＬＶ記録が行われるように制御する。
【００３８】
記録モード４は、光ディスク１上のトラックのゾーン分割がなく、ＣＰＵ１６が本参考形態の各部を光ディスク１の全面に１２倍速でＣＬＶ記録が行われるように制御する。
記録モード５は、光ディスク１上のトラックを、最内周から１５分位置ｔ1までをゾーン１、１５分位置ｔ1から最外周までをゾーン２に分割し、ＣＰＵ１６が本参考形態の各部を、ゾーン１では２０倍速でＣＬＶ記録が行われてゾーン２では２４倍速でＺＣＬＶ記録が行われるように制御する。
図３に示すゾーン分割テーブルはメモリ１７に格納されており、ＣＰＵ１６はメモリ１７内のゾーン分割テーブルから各記録モードにおけるゾーン分割時間（トラック分割位置）ｔ1、ｔ2及び記録速度ｓ1、ｓ2、ｓ3を読み取ることができる。
【００３９】
図５は本参考形態の動作フローを示す。ＣＰＵ１６は本参考形態の各部を図５に示す動作フローが実行されるように制御する。本参考形態の光ディスク装置に光ディスク１が挿入されると、Ｒead  Ｔoc動作が行われ、光ディスク１上のリードインエリアのＡＴＩＰコードが読まれ、光ディスク１の製造メーカ名やタイプなどの情報が読み取られ、ＣＰＵ１６はＡＴＩＰデコーダ１２からのＡＴＩＰ信号（ＡＴＩＰコード）から光ディスク１の種別（種類）を判断する。従って、ＣＰＵ１６は光ディスク種別判断手段を構成する。ここでは、光ディスク１の種別が仮にＥ社のフタロディスクであるとする。
【００４０】
メモリ１７は予め図４に示すような各種の光ディスクの種別、例えばＡ社製シアニンディスク、Ａ社製フタロディスク、Ｃシアニンディスク、Ｄ社製フタロディスク、Ｅ社製フタロディスク、Ｆ社製フタロディスクとこれらに適した記録モードとの対応表が格納されている。この対応表はＣＰＵ１６が適時にメモリ１７から読み取ることができる。本参考形態では、設計段階で、様々な種別の光ディスクに対して各記録モードで記録評価し、各種別の光ディスクに最適な記録モードを予め実験で求めておき、その結果により図４に示すような対応表を作成してメモリ１７に格納してある。
【００４１】
上述のように判断した光ディスク１の種別（Ｅ社のフタロディスク）に適した記録モードは上記対応表を元に記録モード３のＺＣＬＶモードと判定し、光ディスク１には記録モード３でメモリ１７内のゾーン分割テーブルの記録モード３におけるゾーン分割時間（トラック分割位置）及び記録速度でトラックを３つのゾーンに分割して記録モード３の各ゾーン毎の記録速度でＺＣＬＶ記録を行う。
【００４２】
この場合、まず、ゾーン１に８倍速で５分位置までＣＬＶ記録を行って特開平１０−１９９９０記載の公知技術を用いてデータの連続性が維持されるように記録を中断する。次に、ＣＬＶ速度を２０倍速にして特開平１０−１９９９０記載の公知技術を用いてデータの連続性が維持されるようにＣＬＶ記録を再開し、３０分位置までＣＬＶ記録を行って特開平１０−１９９９０記載の公知技術を用いてデータの連続性が維持されるようにＣＬＶ記録を再記録を中断することで、ゾーン２のＣＬＶ記録を行う。最後に、ＣＬＶ速度を２４倍速にして特開平１０−１９９９０記載の公知技術を用いてデータの連続性が維持されるようにＣＬＶ記録を再開し、最終位置までＣＬＶ記録を行うことで、ゾーン３のＣＬＶ記録を行う。
【００４３】
この第１参考形態によれば、複数の記録モードを持ち、各記録モード毎に、ゾーンを分割する分割時間と、各ゾーン毎のＣＬＶ速度をゾーンパラメータとして格納しておくゾーンパラメータ記憶手段としてのメモリ１７と、記録前に光ディスク１の種別を判断する光ディスク種別判断手段としてのＣＰＵ１６とを有し、この光ディスク種別判断手段の判断結果により光ディスクの種別に適したゾーンパラメータをゾーンパラメータ記憶手段内の複数のゾーンパラメータの中から選び、この選んだゾーンパラメータに対応する記録モードでＺＣＬＶ記録を行い、記録速度の最適化を行うので、光ディスクの種別毎の機械特性と記録パワー特性に合わせてＺＣＬＶのゾーン領域を設定することができ、トラック外れを起こすことなく高速記録を行うことができる。
【００４４】
次に、本発明の第２参考形態について説明する。この第２参考形態は、上記第１参考形態において、次のようにより精巧にＺＣＬＶ記録を行うようにしたものである。ＣＰＵ１６は本参考形態の各部を以下の動作が実行されるように制御する。本参考形態の光ディスク装置に光ディスク１が挿入されると、Ｒead  Ｔoc動作が行われ、光ディスク１上のリードインエリアのＡＴＩＰコードが読まれ、光ディスク１の製造メーカ名やタイプなどの情報が読み取られ、ＣＰＵ１６はＡＴＩＰデコーダ１２からのＡＴＩＰ信号（ＡＴＩＰコード）から光ディスク１の種別を判断する。ここでは、光ディスク１の種別が仮にＡ社のフタロディスクであるとする。メモリ１７には図６に示すように光ディスク１の種別毎に最大書き込み速度が記述されたテーブルが格納されており、ＣＰＵ１６はそのテーブルを参照して光ディスク１の種別毎に最大書き込み速度を決定する。
【００４５】
上述のように光ディスク１の種別がＡ社のフタロディスクと判断したので、最大書き込み速度は図６に示すようなメモリ１７内のテーブルを参照して１２倍速に制限する。図３に示すゾーン分割テーブルが参照されて記録モードは最大書き込み速度が１２倍速であることから記録モード２のＺＣＬＶモードと記録モード４のＣＬＶモードの両者が選択可能であることが分かる。次に、光ディスク１の最内周部に設けられたテストエリアにて、試し書きを行うＯＰＣ動作によって最適記録パワーが求められる。このＯＰＣ動作は、公知のもので、記録パワーを順次に上げながら記録を行い、その記録部分を読み込んで最適な記録が行える部分（記録パワー）を特定し、最適記録パワーとする。
【００４６】
ＯＰＣ動作を行う時の記録速度の選択では、例えばより低い記録速度で安定してＯＰＣ動作を行える記録速度である８倍速を選んでＣＬＶを行う。８倍速のＣＬＶでの光ディスク回転数を選ぶ理由は、トラック外れを起こさないように安定な動作が行えるからである。８倍速のＣＬＶでのＯＰＣ結果より、８倍速のＣＬＶでの最適記録パワーを求める。この結果を元にして、１２倍速、２０倍速での最適記録パワーを推定する。この推定では、例えば、線速度ｖで求めた最適記録パワーをＰvとしたとき、線速度Ｖ(i)での最適記録パワーＰw(i)は
Ｐw(i)＝ａ＊（Ｖ(i)−ｖ）＊Ｐv＋ｃ・・・（１）
で求められる。ａ，ｃは、光ディスク装置設計時の各光ディスク種別毎に評価して求めた実験値であり、光ディスクの種別毎にメモリ１７に格納されている。ＣＰＵ１６は、（１）式を用いて１２倍速と２０倍速での最適記録パワーＰw(i)を計算し、その計算した１２倍速と２０倍速での最適記録パワーＰw(i)が最大レーザパワー（光ピックアップ５に用いられているレーザ光源の最大出力パワー）を越えないかどうかを調べる。
【００４７】
ＣＰＵ１６は、１２倍速と２０倍速での最適記録パワーＰw(i)が最大レーザパワーを越えた場合には１２倍速と２０倍速での最適記録パワーＰw(i)を最大レーザパワー以下に制限する。ＣＰＵ１６は、１２倍速での最適記録パワーＰw(i)が最大レーザパワーを越えた場合には記録速度を８倍速に制限し、図３に示すゾーン分割テーブルを参照して記録モード２を選択する。また、ＣＰＵ１６は、１２倍速での最適記録パワーＰw(i)が最大レーザパワーを越えない場合には図３に示すゾーン分割テーブルを参照して記録速度の速い方の記録モード４を選択する。
【００４８】
ここに、ＯＰＣ動作時の記録速度の選択は、例えば最高速度である１２倍速でＣＬＶ記録を行う場合に次のように行うようにしてもよい。ＯＰＣ動作を行った結果、トラック外れが発生せず、計算した１２倍速での最適記録パワーが最大レーザパワーを越えない場合には、１２倍速のＣＬＶ記録が可能であると判断し、図３に示すゾーン分割テーブルを参照して記録速度がゾーン１で記録速度の速い方の記録モード４を選択する。ＯＰＣ動作を行った結果、トラック外れが発生した場合、あるいは、計算した１２倍速での最適記録パワーが最大レーザパワーを越えた場合には、８倍速のＣＬＶで再度ＯＰＣ動作を行って最適記録パワーを上述のように求め、その結果により記録モード２のＺＣＬＶモードを選択する。
【００４９】
この第２参考形態によれば、複数の記録モードを持ち、各記録モード毎に、ゾーンを分割する分割時間と、各ゾーン毎のＣＬＶ速度をゾーンパラメータとして格納しておくゾーンパラメータ記憶手段としてのメモリ１７を有し、記録時の初期に光ディスク１に試し書きを行い、その結果を用いて１つのゾーンパラメータをメモリ１７内の複数のゾーンパラメータの中から選び、この選んだゾーンパラメータに対応する記録モードでＺＣＬＶ記録を行い、記録速度の最適化を行うので、記録時の初期に試し書きを行ってその結果を用いてＺＣＬＶのゾ―ン領域を設定することで、光ディスク装置のばらつき、光ディスクのばらつきを含めてＺＣＬＶのゾ―ンパラメータを設定することができ、より信頼性が高くトラック外れを起こさない高速記録を行うことができる。
【００５０】
次に、本発明の第３参考形態について説明する。この第３参考形態は、上記第２参考形態において、次のようにＺＣＬＶ記録を行うようにしたものである。ＣＰＵ１６は本参考形態の各部を以下の動作が実行されるように制御する。本参考形態の光ディスク装置に光ディスク１が挿入されると、Ｒead  Ｔoc動作が行われ、光ディスク１上のリードインエリアのＡＴＩＰコードが読まれ、光ディスク１の製造メーカ名やタイプなどの情報が読み取られ、ＣＰＵ１６はＡＴＩＰデコーダ１２からのＡＴＩＰコードより光ディスク１の種別を判断する。ここでは、光ディスク１の種別が仮にＡ社のフタロディスクであるとする。メモリ１７には図６に示すように光ディスク１の種別毎に最大書き込み速度が記述されたテーブルが格納されており、ＣＰＵ１６はそのテーブルを参照して光ディスク１の種別毎に最大書き込み速度を決定する。
【００５１】
上述のように光ディスク１の種別がＡ社のフタロディスクと判断したので、最大書き込み速度は図６に示すようなメモリ１７内のテーブルを参照して１２倍速に制限する。図３に示すゾーン分割テーブルが参照されて記録モードは最大書き込み速度が１２倍速であることから記録モード２と記録モード４の両者が選択可能であることが分かる。次に、光ディスク１の最内周部に設けられたテストエリアにて、８倍速のＣＬＶでＯＰＣ動作が行われて最適記録パワーが求められる。
【００５２】
ＣＰＵ１６は、その８倍速のＣＬＶでのＯＰＣ結果より８倍速のＣＬＶでの最適記録パワーを求め、その８倍速のＣＬＶでの最適記録パワーを元にして上記（１）式を用いて１２倍速、２０倍速での最適記録パワーを推定する。ＣＰＵ１６は、その推定した１２倍速と２０倍速での最適記録パワーＰw(i)が最大レーザパワーを越えないかどうかを調べる。
【００５３】
ＣＰＵ１６は、１２倍速と２０倍速での最適記録パワーＰw(i)が最大レーザパワーを越えた場合には１２倍速と２０倍速での最適記録パワーＰw(i)を最大レーザパワー以下に制限する。ＣＰＵ１６は、１２倍速での最適記録パワーＰw(i)が最大レーザパワーを越えた場合には記録速度を８倍速に制限し、図３に示すゾーン分割テーブルを参照して記録モード２を選択する。
【００５４】
１２倍速での最適記録パワーＰw(i)が最大レーザパワーを越えない場合には、光ディスク１上のゾーン１のエリアの各所を１２倍速のＣＬＶでアクセスし、アクセスエラーの発生の有無を調べる。アクセスエラーが発生する場合には１２倍速のＣＬＶでのサーボ追従性が悪いと判断し、最低書き込み可能速度を８倍速のＣＬＶに落とし、図３に示すゾーン分割テーブルを参照して記録モード２を選択する。また、アクセスエラーが発生しない場合には、１２倍速のＣＬＶでサーボ追従性が良好であると判断し、図３に示すゾーン分割テーブルを参照して記録モード４を選択する。
【００５５】
ここで、本参考形態では、アクセスエラーの発生によるサーボ追従性をチェックするために、実際にサーボ信号を監視してサーボ追従性が悪いかどうかを判断する。すなわち、サーボ信号乱れ検知手段は、サーボ手段４のフォーカスエラー信号、トラックエラー信号を監視し、その信号振幅が所定の値以上になった場合にサーボ追従性が悪いと判断する。このサーボ信号乱れ検知手段はサーボ手段４に含まれているサーボ信号監視機能からなり、ＣＰＵ１６が適時にそのサーボ信号監視機能の出力信号を監視してアクセスエラーの発生の有無を調べる。
【００５６】
この第３参考形態によれば、複数の記録モードを持ち、各記録モード毎に、ゾーンを分割する分割時間と、各ゾーン毎のＣＬＶ速度をゾーンパラメータとして格納しておくゾーンパラメータ記憶手段としてのメモリ１７を有し、記録を行う前に光ディスク面内をアクセスし、アクセスエラーの結果によって１つのゾーンパラメータをメモリ１７内の複数のゾーンパラメータの中から選び、この選んだゾーンパラメータに対応する記録モードでＺＣＬＶ記録を行い、記録速度の最適化を行うので、記録前にアクセステストを行ってサーボ外れを検証することで、より信頼性が高くトラック外れを起こさない高速記録を行うことができる。
【００５７】
また、この第３参考形態によれば、複数の記録モードを持ち、各記録モード毎に、ゾーンを分割する分割時間と、各ゾーン毎のＣＬＶ速度をゾーンパラメータとして格納しておくゾーンパラメータ記憶手段としてのメモリ１７と、サーボ信号乱れを検知するサーボ信号乱れ検知手段とを有し、記録を行う前に光ディスク１面内をアクセスし、サーボ信号乱れ検知手段の検知結果によって１つのゾーンパラメータをメモリ１７内の複数のゾーンパラメータの中から選び、この選んだゾーンパラメータに対応する記録モードでＺＣＬＶ記録を行い、記録速度の最適化を行うので、記録前にアクセステストを行ってサーボの追従性を検証することで、より信頼性が高くトラック外れを起こさない高速記録を行うことができる。
【００５８】
次に、本発明の一実施形態について説明する。この実施形態は、上記第３参考形態の光ディスク装置と、この光ディスク装置にライターソフト（書き込みソフトウエア）でデータを光ディスク１に記録させるホストとしてのパーソナルコンピュータとからなる情報処理装置の実施形態である。この実施形態では、上記第３参考形態の光ディスク装置と上記ホストとからなる情報処理装置において、次のようにＺＣＬＶ記録が行われる。図７は本実施形態の動作フローを示し、ＣＰＵ１６は本実施形態の各部を図７に示す動作フローが実行されるように制御する。
【００５９】
本実施形態の光ディスク装置に光ディスク１が挿入されると、Ｒead  Ｔoc動作が行われ、光ディスク１上のリードインエリアのＡＴＩＰコードが読まれ、光ディスク１の製造メーカ名やタイプなどの情報が読み取られ、ＣＰＵ１６はＡＴＩＰデコーダ１２からのＡＴＩＰコードより光ディスク１の種別を判断する。ここでは、光ディスク１の種別が仮にＥ社のフタロディスクであるとする。
【００６０】
ＣＰＵ１６はメモリ１７に格納されている、光ディスク１の種別毎に最大書き込み速度が記述されたテーブルを参照して光ディスク１の種別（Ｅ社のフタロディスク）に対応した最大書き込み速度を決定し、その最大書き込み速度をホスト（ライターソフト）に返す。ホストは、ライターソフトで、ダイヤログボックスなどによって、光ディスク１の記録速度をユーザに問い合わせる。このとき、ホストは、ライターソフトで、ＣＰＵ１６から通知された最大書き込み速度より速い記録速度が設定不可能になる（選択できない）ようにし、あるいは、全ての記録速度を表示し、ＣＰＵ１６から通知された最大書き込み速度より速い記録速度が選択された場合には記録速度がＣＰＵ１６から通知された最大書き込み速度に制限されるメッセージを表示してユーザの選択した記録速度をＣＰＵ１６から通知された最大書き込み速度に変更する。
【００６１】
次に、ホストは、ライターソフトで、記録が開始する直前に、最適書き込み速度制御が働いて、ユーザの選択した記録速度よりも実際の記録速度が遅くなる場合があるというメッセージを表示することで、ユーザに注意を促す。ホストは、ライターソフトで、データ記録時の記録速度をユーザの選択した記録速度に設定し、この設定記録速度に対応するデータ転送レートでデータを光ディスク装置のホストＩ／Ｆ１１へ転送し、データ記録中のデータ転送レートを測定し、その測定結果よりデー記録中の記録速度あるいは平均記録速度を随時計算して表示する。そして、ホストは、ライターソフトで、データ記録の終了時に記録速度の平均、最高、最低（平均書き込み速度、最低書き込み速度、最高書き込み速度）を計算して表示することで、ユーザに記録速度の結果を報告し、次回以降の記録速度選択の参考になるようにする。
【００６２】
また、光ディスク装置は上述のように最適書き込み速度制御がオン／オフさせる機能を有し、この機能はホストからライターソフトで送られる、最適書き込み速度制御がオン／オフさせるコマンド（モードセレクト等のベンダーユニークコマンド）によって最適書き込み速度制御をオン／オフさせる。ホストは、ライターソフトの設定メニューから最適書き込み速度制御のオン／オフを設定できるようになっている。ＣＰＵ１６は、最適書き込み速度制御がオンされた場合には上述のように動作し、最適書き込み速度制御がオフされた場合には予め光ディスク１の種別に関係なく設定された記録速度でＺＣＬＶ記録を行う。
【００６３】
この実施形態によれば、光ディスク装置は最適化した記録速度（最大書き込み速度）をホストあるいはライターソフトに通知する機能を有し、ホストあるいはライターソフト側は、その通知された最適化記録速度を利用して記録時の記録速度設定で、通知された最適化記録速度より速い記録速度が設定不可能になるようにし、あるいは、通知された最適化記録速度より速い記録速度が選択された場合に記録速度を通知された最適化記録速度に変更して最適化記録速度リミットが働いたことを表示するので、ユーザは自分が選択した記録速度と実際の記録速度とが異なることを認知できる。
【００６４】
また、この実施形態によれば、ホストあるいはライターソフト側で記録中のデータ転送レートを測定する機能を有し、記録中の書き込み速度あるいは平均書き込み速度をレポートし、あるいは、記録終了後に平均書き込み速度、最低書き込み速度、最高書き込み速度をレポートする機能を有するので、ユーザは実際の書き込み速度を知ることができ、記録終了時間を知ることができる。
【００６５】
また、この実施形態によれば、記録速度最適化の有効・無効化を選択可能とする機能を有し、ホストあるいはライターソフト側で記録速度最適化の有効・無効化（最適書き込み速度制御のオン／オフ）を選択可能としたので、ユーザが実験的な記録テストを行うことができる。
【００６６】
【発明の効果】
以上のように請求項１、２に係る発明によれば、光ディスクの種別毎の機械特性と記録パワー特性に合わせてＺＣＬＶのゾーン領域を設定することができ、トラック外れを起こすことなく高速記録を行うことができる。さらに、ユーザは自分が選択した記録速度と実際の記録速度とが異なることを認知できる。
請求項３に係る発明によれば、光ディスク装置のばらつき、光ディスクのばらつきを含めてＺＣＬＶのゾ―ンパラメータを設定することができ、より信頼性が高くトラック外れを起こさない高速記録を行うことができる。
【００６７】
請求項４に係る発明によれば、より信頼性が高くトラック外れを起こさない高速記録を行うことができる。
請求項５に係る発明によれば、より信頼性が高くトラック外れを起こすことなく、高速記録を行うことができる。
請求項６に係る発明によれば、ユーザは自分が選択した記録速度と実際の記録速度とが異なることを認知できる。
【００６８】
請求項７に係る発明によれば、ユーザが実験的な記録テストを行うことができる。さらに、ユーザは自分が選択した記録速度と実際の記録速度とが異なることを認知できる。
請求項８、９に係る発明によれば、光ディスクの種別毎の機械特性と記録パワー特性に合わせてＺＣＬＶのゾーン領域を設定することができ、トラック外れを起こすことなく高速記録を行うことができる。
【００６９】
請求項１０に係る発明によれば、光ディスク装置のばらつき、光ディスクのばらつきを含めてＺＣＬＶのゾ―ンパラメータを設定することができ、より信頼性が高くトラック外れを起こさない高速記録を行うことができる。
請求項１１に係る発明によれば、より信頼性が高くトラック外れを起こさない高速記録を行うことができる。
【００７０】
請求項１２に係る発明によれば、ユーザは実際の書き込み速度を知ることができ、記録終了時間を知ることができる。
請求項１３に係る発明によれば、ユーザが実験的な記録テストを行うことができる。
【図面の簡単な説明】
【図１】  本発明の第１参考形態を示すブロック図である。
【図２】  ＺＣＬＶ記録例のゾーン分割時間と記録先速度との関係を示す図である。
【図３】  上記第１参考形態のゾーン分割テーブルを示す図である。
【図４】  上記第１参考形態における各種光ディスクの種別とこれらに適した記録モードとの対応表を示す図である。
【図５】  上記第１参考形態の動作フローを示すフローチャートである。
【図６】  上記第１参考形態における光ディスクの種別毎に最大書き込み速度が記述されたテーブルを示す図である。
【図７】  本発明の一実施形態の動作フローを示すフローチャートである。
【符号の説明】
１      光ディスク
１６      ＣＰＵ
１７      メモリ
【図１】
0004185253.tif 000002
【図２】
0004185253.tif 000003
【図３】
0004185253.tif 000004
【図４】
0004185253.tif 000005
【図５】
0004185253.tif 000006
【図６】
0004185253.tif 000007
【図７】
0004185253.tif 000008